(57)【特許請求の範囲】
【請求項１】
下方開口を有するほぼ円筒形状の容器本体と、前記下方開口を開閉する蓋体とを備えた集塵容器であって、
前記容器本体には、内壁面の一部を外側から内側に凹陥させた凹壁部が前記下方開口近傍に形成されると共に、前記蓋体は外部に開放する前記凹壁部内で軸支され、
前記蓋体には、前記蓋体を前記凹壁部内で軸支する回転軸と、前記回転軸が設けられた脚部と、前記凹壁部内で前記回転軸が挿入される軸挿入穴が形成された縦壁に圧接された膨出部とが形成され、
前記蓋体が前記下方開口を開放したときに、前記膨出部が前記縦壁の外壁との角部付近に圧接されて前記蓋体の少なくとも閉成方向への反強制回動が阻止され、この蓋体は前記凹壁部の下端延長線よりも外方に位置することを特徴とする集塵容器。
【請求項２】
前記凹壁部は、前記容器本体の内壁から連続する上部に、容器内側下方に向けて傾斜する傾斜面を設けたことを特徴とする請求項１に記載の集塵容器。
【請求項３】
請求項１または２に記載の集塵容器を備えていることを特徴とする電気掃除機。
【発明の詳細な説明】
【０００１】
【発明の属する技術分野】
本発明は、電気掃除機本体に装着される集塵容器並びにこの集塵容器を有する電気掃除機に関する。
【０００２】
【従来の技術】
従来から、所謂サイクロン方式の電気掃除機本体には、電動送風機で吸引した塵埃等を収容するものとして有底円筒形状の集塵容器を備えたものが知られている。
【０００３】
図１６（Ａ）は、このような集塵容器６０の一例を示す。集塵容器６０は、取手６１を一体に有する容器本体６２と、容器本体６２に形成された上方開口を閉成するフィルタ部材６３と、図１６（Ｂ）に示すように、容器本体６２内に収容された塵埃等を破棄する際に下方開口を開放する蓋体６４とを備えている。
【０００４】
容器本体６２には、下方開口寄り外壁面にリブ状の軸受部６５が一体に形成され、この軸受部６５に軸６６を介して蓋体６４が回動可能に軸支されている。
【０００５】
【発明が解決しようとする課題】
ところで、上記の如く容器全体が透明に構成された集塵容器６０にあっては、図示を略する電気掃除機本体に集塵容器６０を収容する際、外壁面から突出した軸受部６５が邪魔となるばかりでなく、蓋体６４によって下方開口を閉成している状態を維持するために蓋体６４から突出されたランス６７等が容器本体６２の内壁面６２ａの延長線上Ｐの直近に位置し、下方開口を開放している状態での蓋体６４が揺動（矢印ハ参照）可能な不安定状態であることと相俟って、下方開口から破棄する塵埃等の一部が蓋体６４に付着する虞があるといった問題が生じていた。
【０００６】
本発明は、上記問題を解決するため、下方開口を蓋体で閉成しているときの蓋体の開閉に関する構成要素が容器本体から突出せず、しかも、下方開口を開放した際に蓋体と容器内壁面との距離を大きく離間させることができる集塵容器並びに電気掃除機を提供することを目的とする。
【０００７】
【課題を解決するための手段】
その目的を達成するため、請求項１に記載の集塵容器は、下方開口を有するほぼ円筒形状の容器本体と、前記下方開口を開閉する蓋体とを備えた集塵容器であって、前記容器本体には、内壁面の一部を外側から内側に凹陥させた凹壁部が前記下方開口近傍に形成されると共に、前記蓋体は外部に開放する前記凹壁部内で軸支され、前記蓋体には、前記蓋体を前記凹壁部内で軸支する回転軸と、前記回転軸が設けられた脚部と、前記凹壁部内で前記回転軸が挿入される軸挿入穴が形成された縦壁に圧接された膨出部とが形成され、前記蓋体が前記下方開口を開放したときに、前記膨出部が前記縦壁の外壁との角部付近に圧接されて前記蓋体の少なくとも閉成方向への反強制回動が阻止され、この蓋体は前記凹壁部の下端延長線よりも外方に位置することを要旨とする。
【０００８】
請求項２に記載の集塵容器は、前記凹壁部の前記容器本体の内壁から連続する上部に、容器内側下方に向けて傾斜する傾斜面を設けたことを要旨とする。
【０００９】
請求項３に記載の電気掃除機は、請求項１又は請求項２の何れかに記載の集塵容器を備えていることを要旨とする。
【００１０】
【発明の実施の形態】
次に、本発明の集塵容器の実施の形態を図面に基づいて説明する。
【００１１】
図１（Ａ）において、１は電気掃除機本体である。電気掃除機本体１には、蛇腹状の吸引ホース、延長管（手元操作管）、吸込口体等（全て図示せず）からなるホースが着脱可能に接続される。
【００１２】
また、電気掃除機本体１は、下部ケース２、上部ケース３、取手体４、集塵容器５から構成され、内部に設けた電動送風機６（図２，図３参照）の駆動により取手体４の先端接続口４ａに接続されたホース（上述）から吸引された塵埃等が集塵容器５内へと収容される。
【００１３】
取手体４には、図２に示すように、上部ケース３と一体に回動し、図３に示すように、集塵容器５の着脱を可能とするロック４ｂとが設けられている。
【００１４】
集塵容器５は、図１（Ｂ）及び図４に示すように、上下に開口した略円筒形状に形成されると共に上方に握持部２０を一体に形成した容器本体１０と、容器本体１０と握持部２０とに跨るカバー３０、容器本体１０の上方開口（後述）を覆うフィルタ部材４０、容器本体１０の下部開口（後述）を開閉する蓋体５０とを備えている。
【００１５】
容器本体１０は、図３に示すように、合成樹脂の一体成形品からなり、上方開口１０ａと下方開口１０ｂとが形成されている。また、容器本体１０は、透明な合成樹脂等から形成されている。さらに、容器本体１０の握持部２０との連続部分と対角線状に対向する下端部には蓋体５０の回動支点部１１が形成され、握持部２０との連続部分の下方側壁にはカバー３０に覆われるように凹陥されたシャフトスペース１２が形成されている。また、上方開口１０ａには環状パッキン１３が設けられている。
【００１６】
ところで、上述した容器本体１０の「透明」には、無色透明は勿論、有色透明（半透明）を含み、容器本体１０内を外部から透かして見ることにより容器本体１０内に収容した塵埃が確認できる環境にあれば良いものとする。また、容器本体１０の透明部位は、図１（Ｂ）に示すように、多色成形により、上下に跨る一部の範囲Ｅを透明とし、その他の部位は不透明で形成してもよい。また、上半分等のように上方寄りの全般若しくは上方寄り且つ握持部２０付近を透明とし、その他の部位は不透明で形成しても良い。
【００１７】
回動支点部１１は中央に設けられた縦壁１１ａによってその左右に脚部スペース１１ｂが形成されている。また、縦壁１１ａには軸挿入穴１１ｃが形成されている。さらに、回動支点部１１の内側には容器本体１０の内壁と連続する凹壁部１４が形成されている。この凹壁部１４は、その連続部分から内側下方に傾斜された傾斜壁１４ａと傾斜壁１４ａの下端から略垂直下方に延在された縦壁１４ｂとから形成されている。尚、縦壁１４ｂの下端肉厚を徐々に厚肉として内壁面に傾斜壁面１４ｃを形成しても良い。
【００１８】
シャフトスペース１２の側壁１２ａには、カバー嵌合用スリット１２ｂが形成されている。また、シャフトスペース１２の縦壁面１２ｃには、位置決め用凹部１２ｄが形成されている。
【００１９】
握持部２０は、容器本体１０の上方付近から側方に向かって連続して突出した後に下方に向けて屈曲され、容器本体１０の上方付近に位置して上方に開口する舌片収納スペース２１と、段差壁２２によって隔絶された状態で舌片収納スペース２１の下方に位置するカバー設置スペース２３と、カバー設置スペース２３に隣接するボタン設置スペース２４と、握持カバー２５に表面が覆われる握持シャフト２６とを備えている。
【００２０】
ボタン設置スペース２４には、スプリング支持突起２４ａが上方に向けて突出形成されている。このスプリング支持突起２４ａは、握持カバー２５の下面に常時は弾接状態で支持されるボタン２７を付勢するコイルスプリング２８の一端が支持されている。また、ボタン２７は、ロック解除シャフト２９の一端を保持しており、ボタン２７をコイルスプリング２８の付勢に抗して図示下方へと押し下げることによってロック解除シャフト２９が一体に下方に変位する。
【００２１】
カバー３０は、図７に示すように、カバー設置スペース２３に臨む先端部３１と、ロック解除シャフト２９の中途部を支持する複数のリブ３２と、カバー嵌合スリット１２ｂを嵌合するリブ３３と、位置決め用凹部１２ｄと係合する一対の突起３４とが一体に形成されている。カバー３０は、リブ３３をカバー嵌合スリット１２ｂに嵌合させつつ先端部３１をカバー設置スペース２３に臨ませた後、突起３４を位置決め用凹部１２ｄに係合させることによって容器本体１０に保持されると同時にシャフトスペース１２を覆う。
【００２２】
また、カバー３０にはロック軸保持溝３５が設けられている。このロック軸保持溝３５には、ロック部材３６の軸３７が保持される。ロック部材３６は、係合爪３８と、この係合爪３８を常時は図示反時計回り方向に付勢する復帰スプリング３９とを備えている。
【００２３】
フィルタ部材４０は、図８〜図１１に示すように、上方開口１０ａを閉成した状態のときに舌片収納スペース２１に位置する開閉操作用の舌片４１と、環状の周壁４２と、この周壁４２と一体に形成された格子リブ４３と、舌片４１の表面側近傍に設けられた円筒形状の吸込口４４と、吸込口４４の裏面側に設けられて吸込風をガイドする半カバー４５とを備えている。また、格子リブ４３の表面側には、ネット部材４６、不織布４７、スポンジ４８が設けられ、これらによってフィルタ効果を備えている。また、格子リブ４３の裏面側にもネット部材４９が設けられている。尚、図４に示すように、着脱操作用の摘み４０ａを形成しても良い。
【００２４】
蓋体５０は、図１２，図１３に示すように、略円盤形状を呈する不透明な合成樹脂から形成され、容器本体１０の下縁部と当接する環状パッキン５１を装着するための環状溝５２と、係合爪３８と係合可能な被係合爪５３と、縦壁１１ａを両側から挟み込むように脚部スペース１１ｂに臨む一対の脚部５４と、脚部５４から突出されて軸挿入穴１１ｃに挿入される一対の回動軸５５と、縦壁１１ａと圧接することにより下方開口１０ｂを蓋体５０で閉成したときのクリック感と保持力とを確保する膨出部５６とを備えている。
【００２５】
尚、蓋体５０の内表面５０ａに鏡や反射皮膜等の反射体を設けることも可能である。この際、例えば、図１２に示すように、内表面５０ａが窪んでいる場合には反射皮膜５７を蒸着等によって設けることができ、しかも、内表面５０ａの全体でなく一部分に設けることも可能である。また、反射皮膜５７を部分的に設ける場合には、握持部２０とは反対側に設ける方が良い。
【００２６】
上記の構成において、電動送風機６を駆動させると、上述したホースから先端接続口４ａ並びに吸込口４４、半カバー４５を経由した塵埃等が吸込風と一緒に容器本体１０内へと送り込まれ、この容器本体１０内に塵埃等は収容され、吸込風はフィルタ部材４０と通過して電動送風機６側へと向かう。
【００２７】
一方、容器本体１０内に収容された塵埃等は、容器本体１０が透明樹脂であることから、その収容度合いが一目で認識することができる。尚、この塵埃等の収容度合いを容器全体で視認させたくない場合には、上述したようにその一部を透明体で形成することにより解消される。
【００２８】
そして、容器本体１０内に収容された塵埃等がある程度溜まったと判断した場合、取手部４と上部ケース３とを一体に回動させ、握持部２０を握持したまま集塵容器５を取り出し、図１４に示すように、その集塵容器５の下方寄りをごみ袋Ｆ内に臨ませた後、ボタン２７をコイルスプリング２８の付勢に抗して押し下げる。
【００２９】
すると、図１５（Ａ）の矢印イに示すように、ロック解除シャフト２９が下方に変位し、図１５（Ｂ）に示すように、その先端２９ａが係合爪３８と一体のベース３８ａに突き当たり、そのままロック解除シャフト２９が下方に変位し続けることにより復帰スプリング３９の付勢に抗して係合爪３８が図示時計回り方向に回転し、被係合爪５３との係合状態が解除される。
【００３０】
さらに、被係合爪５３と係合爪３８との係合状態が解除されると、この被係合爪５３とは反対側に位置する回動軸５５を支点として自重により蓋体５０が回動し（図１５（ｂ）の矢印ロ参照）、図１４に示すように、蓋体５０か下部開口１０ｂを開放して容器本体１０内に収容された塵埃等をごみ袋Ｆ内に破棄することができる。
【００３１】
この際、容器本体１０は透明体であることから、ごみ袋Ｆが半透明体であってその外側から蓋体５０の開閉状態を目視することができない場合であっても、容器本体１０を透かして蓋体５０の開閉状態を目視することができる。
【００３２】
尚、蓋体５０が不透明体であることから、容器本体１０からの透視は容易であるが、蓋体５０を容器本体１０の透明色（例えば、青や緑）と異なった色合いで有色透明としても、蓋体５０の開閉状態の有無の目視を行うことは可能である。また、容器本体１０の一部を透明体とし、その他の部位を不透明体とした場合には、ごみ捨て状態の蓋体５０の開閉状態の視認性が確保し易い部位（例えば、上述した範囲Ｅ等）を透明体とすることが望ましい。
【００３３】
また、容器本体１０に凹壁部１４を形成したことにより、蓋体５０によって下部開口１０ｂを開放したときの蓋体５０は、凹壁部１４の下端延長線Ｐ（図１４参照）よりも外方に退避した位置にあることから、凹壁部１４の内表面上を伝わって落下する塵埃等が蓋体５０に付着することが防止されている。
【００３４】
しかも、蓋体５０によって下方開口１０ｂを閉成している状態の時には、膨出部５６が脚部スペース１１ｂ内で縦壁１１ａに圧接して蓋体５０の閉成状態を被係合爪５３とは反対側においても確保され、蓋体５０によって下方開口１０ｂを開放している状態の時には、膨出部５６が縦壁１１ａの外壁との角部付近に引っ掛かるように圧接して蓋体５０の少なくとも閉成方向への反強制回動が阻止され、これにより蓋体５０が下端延長線Ｐよりも内側に容易に入り込まないように構成されている。
【００３５】
そして、容器本体１０内に収容された塵埃等をごみ袋Ｆに破棄したらば、手動によって蓋体５０を回動させ、図１５（Ｃ）に示すように、被係合爪５３からの加圧によって係合爪３８が復帰スプリング３９の付勢に抗して回動し、再び係合爪３８に被係合爪５３が係合して蓋体５０による下部開口１０ｂの閉成状態が復帰される。
【００３６】
尚、この状態で容器本体１０を透かして反射皮膜５７を目視することにより、集塵容器５を引っくり返す等の操作をすることなく、反射皮膜５７によってフィルタ部材４０の底面、即ち、ネット部材４９に塵埃の一部等が付着していたとしても、その付着物の存在を認識することができる。
【００３７】
ところで、基本的には、ネット部材４９は、従来のフィルタとして使用される不織布等と異なり、塵埃密着性に劣ることから、集塵容器５の一連のごみ捨て操作時の振動等によって下方へと落下し、ネット部材４９に塵埃の一部等が付着することはまれである。
【００３８】
【発明の効果】
以上説明したように、請求項１に記載の集塵容器にあっては、下方開口を有するほぼ円筒形状の容器本体と、前記下方開口を開閉する蓋体とを備えた集塵容器であって、前記容器本体には、内壁面の一部を外側から内側に凹陥させた凹壁部が前記下方開口近傍に形成されると共に、前記蓋体は外部に開放する前記凹壁部内で軸支され、前記蓋体には、前記蓋体を前記凹壁部内で軸支する回転軸と、前記回転軸が設けられた脚部と、前記凹壁部内で前記回転軸が挿入される軸挿入穴が形成された縦壁に圧接された膨出部とが形成され、前記蓋体が前記下方開口を開放したときに、前記膨出部が前記縦壁の外壁との角部付近に圧接されて前記蓋体の少なくとも閉成方向への反強制回動が阻止され、この蓋体は前記凹壁部の下端延長線よりも外方に位置することにより、下方開口を蓋体で閉成しているときの蓋体の開閉に関する構成要素が容器本体から突出せず、しかも、下方開口を開放した際に蓋体と容器内壁面との距離を大きく離間させることができる。
【００３９】
請求項２に記載の集塵容器は、前記凹壁部の前記容器本体の内壁から連続する上部に、容器内側下方に向けて傾斜する傾斜面を設けたことにより、蓋体に向う塵埃等の落下を防止することができる。
【００４０】
請求項３に記載の電気掃除機は、請求項１又は請求項２に記載の集塵容器を備えていることにより、利便性の高い電気掃除機とすることができる。
【図面の簡単な説明】
【図１】本発明の実施の形態に係わる集塵容器を示し、（Ａ）は電気掃除機本体の外観斜視図、（Ｂ）は集塵容器の外観側面図である。
【図２】同じく、上部ケースを開放した状態の電気掃除機本体の外観斜視図である。
【図３】同じく、上部ケースを開放して集塵容器を取り外した状態の電気掃除機本体の外観斜視図である。
【図４】同じく、集塵容器の縦断面図である。
【図５】同じく、容器本体の外観斜視図である。
【図６】同じく、容器本体の縦断面図である。
【図７】同じく、カバーの外観斜視図である。
【図８】同じく、フィルタ部材の側面図である。
【図９】同じく、フィルタ部材の平面図である。
【図１０】同じく、フィルタ部材の平面方向の斜視図である。
【図１１】同じく、フィルタ部材の底面方向の斜視図である。
【図１２】同じく、蓋体の縦断面図である。
【図１３】同じく、（Ａ）は蓋体の平面方向の斜視図、（Ｂ）は蓋体の底面方向の斜視図である。
【図１４】同じく、蓋体を開いた状態の説明図である。
【図１５】同じく、（Ａ）は蓋体ロック状態の要部の拡大断面図、（Ｂ）は蓋体ロック解除状態の要部の拡大断面図、（Ｃ）は蓋体のロック復帰過程の要部の拡大断面図である。
【図１６】従来の集塵容器を示し、（Ａ）は蓋体閉成状態の容器の側面図、（Ｂ）は蓋体開放状態の容器の側面図である。
【符号の説明】
Ｐ…下端延長線
５…集塵容器
１０…容器本体
１０ａ…上部開口
１０ｂ…下部開口
１４…凹壁部
１４ａ…傾斜壁
１４ｂ…縦壁
１４ｃ…傾斜壁面
５０…蓋体
５５…回動軸（軸）
【図１】
0004078046.tif 000002
【図２】
0004078046.tif 000003
【図３】
0004078046.tif 000004
【図４】
0004078046.tif 000005
【図５】
0004078046.tif 000006
【図６】
0004078046.tif 000007
【図７】
0004078046.tif 000008
【図８】
0004078046.tif 000009
【図９】
0004078046.tif 000010
【図１０】
0004078046.tif 000011
【図１１】
0004078046.tif 000012
【図１２】
0004078046.tif 000013
【図１３】
0004078046.tif 000014
【図１４】
0004078046.tif 000015
【図１５】
0004078046.tif 000016
【図１６】
0004078046.tif 000017